(57)【要約】コンテンツにおけるコマーシャルの検出及び記録は、選択された時間にコマーシャルを視聴することを回避する又はコマーシャルコンテンツを視聴する選択肢を視聴者に与える。本発明は、コマーシャルを記録し、サムネイルの集合、メニュー又は目次の機構としてユーザにコマーシャルを提示することにより、コマーシャルを視聴することなく、ユーザが興味あるコマーシャルをナビゲートすることを可能にする方法を提供する。コンテンツ分析アルゴリズムが、サムネイルについての最も代表的な重要なフレームを選択するように用いられる。本発明は、記録からコマーシャルを自動的に削除する技術と関連させて用いられる。コマーシャルは、最初の視聴中には視聴者により視聴されないが、ユーザがコマーシャルを選択的に視聴することができるように、ユーザが選択した時間に提示される。
2008505518.tif 000002
【特許請求の範囲】
【請求項１】
デジタル媒体のためのプレーヤ／レコーダであって：
プログラムコンテンツにおけるコマーシャルを検出するプレーヤ／レコーダにおける検出装置；
プレーヤ／レコーダにおいて、コマーシャルを記録する機構；及び
選択された時間に記録されているコマーシャルを表示する、前記レコーダにおける提示装置；
を有するプレーヤ／レコーダ。
【請求項２】
請求項１に記載のプレーヤ／レコーダであって、前記提示装置は、記録されているコマーシャルの選択についてのメニューを表示する、プレーヤ／レコーダ。
【請求項３】
請求項２に記載のプレーヤ／レコーダであって、前記提示装置は、サムネイル画像の集合として記録されているコマーシャルについての前記メニューを表示する、プレーヤ／レコーダ。
【請求項４】
請求項２に記載のプレーヤ／レコーダであって、前記提示装置は、プログラムの終了時に記録されているコマーシャルについての前記メニューを表示する、プレーヤ／レコーダ。
【請求項５】
請求項２に記載のプレーヤ／レコーダであって、前記提示装置は、プログラムについてのクレジットの提示中に記録されているコマーシャルについての前記メニューを表示する、プレーヤ／レコーダ。
【請求項６】
請求項１に記載のプレーヤ／レコーダであって、前記提示装置は、記録されているコマーシャルの視聴についてユーザが選択することを可能にする、プレーヤ／レコーダ。
【請求項７】
請求項１に記載のプレーヤ／レコーダであって、前記提示装置の表示は、インタラクティブ表示を与える、プレーヤ／レコーダ。
【請求項８】
請求項１に記載のプレーヤ／レコーダであって、前記提示装置は、コマーシャルを保存するための選択肢を与える、プレーヤ／レコーダ。
【請求項９】
請求項８に記載のプレーヤ／レコーダであって、前記提示装置は、視聴している間に、コマーシャルを保存するための選択肢を与える、プレーヤ／レコーダ。
【請求項１０】
請求項８に記載のプレーヤ／レコーダであって、前記提示装置は、サムネイルメニューにおいて記録されているコマーシャルを与える、プレーヤ／レコーダ。
【請求項１１】
請求項１に記載のプレーヤ／レコーダであって、前記提示装置は、記憶装置に保存され、前記記憶装置のための目次メニューにおいて識別される記録されているコマーシャルについての選択肢を与える、プレーヤ／レコーダ。
【請求項１２】
コンテンツの集合を記録するための方法であって：
前記コンテンツの集合においてコマーシャルを検出することができる検出装置を有するプレーヤ／レコーダを備える段階；
前記コンテンツの集合において放送されるコマーシャルを記録する段階；
コンテンツのコマーシャルを含まない集合をつくるように、前記コンテンツの集合からコマーシャルを削除する段階；及び
記録されているコマーシャルを視聴することを可能にする機構をつくる段階；
を有する方法。
【請求項１３】
請求項１２に記載の方法であって、前記機構は、ユーザが視聴するために記録されているコマーシャルを選択することを可能にするメニューを表示するプレーヤ／レコーダにおける提示装置を更に有する、方法。
【請求項１４】
請求項１２に記載の方法であって、記録は、コマーシャルを開始するためのイベントによりトリガされる、方法。
【請求項１５】
請求項１４に記載の方法であって、記録は、ＭＨＰストリームイベントである前記イベントによりトリガされる、方法。
【請求項１６】
請求項１５に記載の方法であって、記録は、記録されるべきコマーシャルのタイトルを識別し、前記コマーシャルを表すサムネイル画像をつくるＭＨＰイベントを更に有する、方法。
【請求項１７】
請求項１５に記載の方法であって、前記ＭＨＰイベントは、タイトル及びサムネイル画像を識別するコンテンツオブジェクトカルーセルにおけるファイルを識別する、方法。
【請求項１８】
請求項１７に記載の方法であって、前記コンテンツオブジェクトカルーセルにおける前記ファイルは、完全なプログラムにおいて全てのコマーシャルを又はコマーシャルの時間において全てのコマーシャルを含むことができる、方法。
【請求項１９】
請求項１２に記載の方法であって、記録の検出及び開始はＴＶＡｎｙｔｉｍｅ  ＣＲＩＤｓにより開始される、方法。
【請求項２０】
請求項１９に記載の方法であって、ＴＶＡｎｙｔｉｍｅ  ＣＲＩＤｓは、記録されているコマーシャル及び記録されている実際のコマーシャルを識別するファイルにリンクしている、方法。
【発明の詳細な説明】
【背景技術】
【０００１】
コマーシャルを含むコンテンツと対話する能力を視聴者に与えるマルチメディアホームプラットホーム（ＭＨＰ）のようなインタラクティブテレビジョン（ＴＶ）システムが販売されている。現在、個々のチャネルのデジタル文字サービス及び電子プログラムガイド（ＥＰＧ）を有するＭＨＰサービスを有するデジタルＴＶチャネルが存在している。ＥＰＧは、全てのデジタルＴＶチャネルについてのプログラム情報を表示することができる。ＥＰＧが、デジタルビデオ放送（ＤＨＢ）ＭＨＰシステムにおいて実施される。ＥＰＧは、典型的には、デジタルＴＶチャネル全てにおいて同じアプリケーションとして実施され、全てのチャネルにおいて同じようにみえる。ＥＰＧを与えることは、視聴者がデジタルＴＶを用いることをより容易にする。どこでも同じようにみえ、動作するそのような共通性を有するシステムを提供することにより、ユーザはＥＰＧに慣れる。ＭＨＰのようなシステムは、将来のデジタルテレビジョンのアプリケーションについて多くの可能性を提供する。ＥＰＧは、将来のＭＨＰのバージョンが利用可能になるとき、更に展開するようになることは疑う余地はない。更なるＥＰＧのサービスは、個人化のための可能性及び助言のような特徴を与えることが可能である。ハードディスクを有するＭＨＰ端末は、現在、人気があり、将来、人気が出るようになるであろう。個人的ビデオ記録（ＰＶＲ）機能はまた、ＥＰＧに付加されることが可能である。将来のＭＨＰシステム、例えば、ＭＨＰ２．０においては、十分なＰＶＲの機能の使用が可能になるであろう。
【０００２】
デジタルＴＶのチャネルは対話、即ち、デジタル文字放送と呼ばれる情報サービスを与えることを想定している。それらのデジタル文字放送サービス等は、デジタルＴＶについてのインタラクティブサービスの中心である。それらのデジタル文字放送サービスはインタラクティブサービスのプラットホームを備えている。更に、デジタル文字放送サービスは、画像、グラフィック、テキスト及び他のデータを有する情報サービスを備えることができる。デジタル文字放送システムは、全てのチャネルにおいてインタラクティブサービスを備えることができる。ＥＰＧ４８とは異なり、デジタル文字放送システムはカスタム化されることができ、それ故、全てのチャネルにおいて異なることが可能である。
【０００３】
放送コンテンツにおいてコマーシャルの検出を専用とした多くの先行技術の文献が存在する。大多数のそれらの文献は、いずれにせよ、プログラムコンテンツからコマーシャルを取り除く方に方向付けられている。それらの先行技術の文献は、コマーシャルが視聴者にとって価値がないという基本的な前提に基づいて、ユーザがコマーシャルを視聴することを回避することを可能にするものである。しかしながら、視聴者が興味を見出すコマーシャルが存在し、それらのコマーシャルのコンテンツは視聴者にとっては保存される必要がある。視聴者が興味を見出したコマーシャルの例は、スーパーボールの中でＰｅｐｓｉ（登録商標）について放送され、フットボール自体より高い視聴ランキングを受けるＢｒｉｔｏｎｉ  Ｓｐｅａｒｓのコマーシャルである。同様に、多くのコマーシャルは、視聴者がコマーシャルのコンテンツを視聴することに興味をもつようにする興味のポイントを有する。視聴者に興味をもたれるコマーシャルの他の例は、コマーシャルにより広告されるアイテムが特定の視聴者にとって興味がある場合である。視聴者は、興味あるコマーシャルを、広告としてというより情報と感じる。高度に目的化されたコマーシャルは、ターゲットとされる視聴者に興味を抱かせる傾向を有する。視聴者がコマーシャルの興味の目的を理解する場合、視聴者が機会を与えられたコマーシャルを視聴する頻度は高くなる。
【０００４】
ＭＨＰのようなインタラクティブＴＶシステムは、コマーシャルを含むコンテンツと対話する能力を視聴者に与える。現在、想定されているそれらのインタラクティブシステムの更なるバージョンは、電子商取引サービスを介して広告されるプロダクトを購入する能力を視聴者に与えるインターネット接続を支援する。視聴者にインタラクティブなインターネット接続を与えることにより、更に詳細な情報を視聴者に与えることができる。視聴者が広告されるアイテムに関する更に詳細な情報を受け取る又は購入するようにする能力は、高度に目的化された広告の認知度を高める。インタラクティブなインターネット接続により広告されるアイテムについての購入能力ばかりでなく、高度に目的化された広告を与える先行技術に存在する問題点は、電子商取引を実際に実行するために要する時間が、一般に、コマーシャルの長さより長いことである。それ故、その電子商取引の完了させることは、実際のコンテンツの視聴から注意をそらすものである。
【０００５】
既知の先行技術の多くは、ユーザが何れのコマーシャルを伴わないコンテンツを視聴することを可能にするように、コマーシャルコンテンツを自動削除することに関連している。典型的には、それらの先行技術の文献は、コマーシャルを有しないコンテンツが１つのコンテンツとして現れるように、削除されるコマーシャルを有するプログラムコンテンツをタイムシフトさせている。先行技術において存在する問題点は、コマーシャルコンテンツの削除は、視聴される広告からの収入により支えられる放送会社のビジネスモデルを直接、脅かすことである。
【０００６】
タイムシフトされた視聴がより一般的になるにつれ、コマーシャルが、プログラムについての課金を正当化することができる範囲までコマーシャルが視聴される場合、プログラミングに対して代金を支払うことに同意する何れの広告主がいないことは、十分可能性があることである。このことは、結局、タイムシフトされたままになっている何れのプログラムチャネルがなくなってしまう状況をつくり出す。それ故、視聴者がコマーシャルコンテンツ全部を削除するのではなく、希望するときにコマーシャルを視聴することを可能にするというタイムシフトが、ある意味で達成されなければならない。したがって、コマーシャルコンテンツをユーザがナビゲートすることを可能にする選択肢を検討することは価値があることである。
【発明の開示】
【課題を解決するための手段】
【０００７】
本発明は、ユーザが、プログラムコンテンツを視聴している間に、コマーシャルを視聴することなく、興味のあるコマーシャルをナビゲートすることを可能にする方法及び装置を提供する。本発明は、ユーザがコマーシャルをスキップすることを容易にする特徴に関連付けて用いられることができる。本発明は、記憶装置は、ＴＶか又はＰＶＲのどちらかにおいて利用可能である、典型的なＨＤＤ記憶装置であることを前提とすることを想定している。
【０００８】
本発明の概念は、コマーシャルを明示的に記録すること、及び、視聴者がサムネイル画像から視聴するコマーシャルを選択することを可能にするユーザインターフェースを与えることである。本発明は、コマーシャルを削除するのではなく、興味あるコマーシャルを選択する能力をユーザに与える。本発明の方法は、２つの好ましい時間におけるコマーシャルの提供を想定しているが、ユーザにより決定された時間期間を含む種々の期間であって、記録されたコマーシャルを視聴することができる、期間を有することができ、それに限定されないことは、当業者は容易に理解できるであろう。第１の好ましい時間期間は、プログラムの終了時であって、一連のサムネイル画像としてユーザに示されるプログラムからコマーシャルと共に示されるメニューを有するプログラムの終了時である。第２の好ましい時間期間は、興味のあるコマーシャルが後の視聴のために保存されることができるように、目次（又は、一連のサムネイル画像）を有する記憶装置システムに与えられた‘自分のコマーシャル’フォルダをユーザが選択するときである。サムネイルを選択し、アクティブにすることにより、ユーザは、ＤＶＤメニューにおけるチャプターの選択のように、コマーシャルを視聴することができる。
【発明を実施するための最良の形態】
【０００９】
本発明は、コマーシャルを記録することを図り、コマーシャルを見る好ましい時間に、目次、メニュー又はサムネイル画像の集合からコマーシャルを選択する能力を視聴者に与えるように、ユーザインターフェースを備えている。本発明は、コマーシャルを削除するのではなく、関心のあるコマーシャルを選択する能力をユーザに与える。上記のように、想定されるように、上記の特徴は、対話式ＴＶシステムにおいてプレーヤ又は放送会社により実施されることが可能である。新しい規格（例えば、ＭＨＰ２．０）は記憶についての支援を有し、それ故、放送会社は、記憶システムにより保持される特徴を与えるように、アプリケーションを送信することができる。ローカルなハードディスク媒体におけるコンテンツの記憶は、将来のＭＨＰのバージョンについて考慮される問題であり、ＴＶＡｎｙｔｉｍｅによりアクティブに追跡される。ＭＨＰ２．０のための拡張に関連する議論は、無線接続を有する種々の装置への接続を対象に与えるローカルなホームネットワークを有する。本発明は、コマーシャルの提示の外観及び感覚を制御するための能力を放送会社に与えるユーザインターフェースを想定している。
【００１０】
本発明の概念に対する付加的修正は、プログラムが終了した後に、選択されたコマーシャルのみを視聴する及び視聴している間に対象のコマーシャルを選択する能力をユーザに与える、又は、後の視聴のために彼らの‘自分のコマーシャル’のフォルダに位置付けられる選択されたコマーシャルを有する。このように、視聴者は、対象のそれらのコマーシャルのみを選択することができる。
【００１１】
本発明をまた、コンテンツ分析アルゴリズムが、サムネイルのための最も代表的なキーフレームを選択するために用いることができる。コンテンツ分析アルゴリズムは、記録からコマーシャルの自動削除を行う技術と関連させて用いられることができる。そのコマーシャルは、最初の視聴の間に視聴者により見られることはないが、ユーザがそのコマーシャルを選択的に見るように、プログラムの終了時に、サムネイルとして与えられる。
【００１２】
コマーシャルを識別する一方法は、位置非依存性基準としてＣＲＩＤを与え、ＣＲＩＤがコンテンツの時間及び位置を決定するために用いられる処理を規定するＴＶＡｎｙｔｉｍｅシステムにおけるコンテンツ基準識別子によるものである。ＣＲＩＤに基づいて、そのシステムは、コマーシャルを識別し、また、重複を識別し、それらのことは、勿論、記録される必要はない。ＣＲＩＤは、異なる配信ネットワークにおいて及び異なる時間において発行される対応するプログラム位置データを有するプログラムに関連する記述的メタデータの解像度を与える。コンテンツ発行者は、複数のプラットホームにおいて又は複数回数、同じ音声／映像素材を開放することができる。ＣＲＩＤは、一回の識別でそれらの異なる発行を関連付けることができる。上記は、コンテンツ分析アルゴリズムと共に用いることができるＴＶＡｎｙｔｉｍｅシステムにおけるコマーシャルを識別する例であり、コマーシャルを識別するための他の実施形態については、当業者にとっては全く明らかであろう。
【００１３】
図１を参照するに、本発明のシステムは、プログラムにおけるコマーシャルを検出し、記録する。プログラム１０が、矢印でラベリングされた時間により示されているように、開始から終了まで処理されるにつれ、コマーシャル１２は、ハードディスクドライブ（ＨＤＤ）１５において検出され、記録される。本発明の簡単な実施においては、システムは、視聴（又は、記録）中に、コマーシャル１２全てを記録する。想定されるように、コマーシャル１２の記録は、実際のプログラム１０のコンテンツがまた、記録されているかどうか、又は、コマーシャルが自動的にスキップされる（例えば、コマーシャルを有しないコンテンツを有するプレーリストを作成することにより）かどうかに依存しない。好適には、そのプログラム１０の終了時に、システムは、サムネイルとして表示されるそのプログラム１０からコマーシャル１２の集合を提示する。ユーザは、サムネイルの１つから視聴するコマーシャルを選択することができる。好適な実施形態においては、選択されたコマーシャル１２を視聴した後に、システムはまた、サムネイルメニューを提示する。ユーザインターフェースは、コマーシャル（例えば、‘自分のコマーシャル’フォルダに収集された）を保存するためのオプションを与えることができる。ユーザがコマーシャルのナビゲートを終了するとき、そのサムネイルメニューは消され、何れの非保存コマーシャルが検出される。
【００１４】
図２は、システム３０により予め記録されたコマーシャルの実行を示すハイレベルのブロック図である。ブログラムの終了時か又は視聴者の選択の結果としてのどちらかにおいて、プログラムの実行中にフォルダ‘自分のコマーシャル’２４に記録されたサムネイル２２を含むメニュー２０が提示される。サムネイル２２は、図１に示しているシナリオにおいて記録されるコマーシャルを表す。ユーザは、ユーザインターフェースを介してそれらのサムネイル２２の１つを選択することができ、その結果、何れの対話を有するサムネイル２２により表されるコマーシャルが利用可能であるように実行するシステムを得ることができる。一旦、サムネイル２２で表されるコマーシャルが実行されると、メニュー２０がもう一度、表示される。
【００１５】
本発明により与えられる他のオプションは、最初の視聴中に、ユーザが‘保存’ボタンを押すことにより対象のコマーシャルを選択することができ、選択されたそれらのコマーシャルのみが、プログラムの終了時に提示されることである。好適には、このオプションはそのシステムに記録された全てのコマーシャルを有し、ユーザが選択したそれらのコマーシャルがそのプログラムの終了時に表示される。そのような実施形態は、ユーザがコマーシャルの開始時に‘保存’を選択するように予測されていないために、そして、ユーザは、選択されなかった追加のコマーシャルを視聴することを要求することが可能であるために、好ましい。‘保存されている’コマーシャルの集合が複数のプログラムに非常に適切にまたがっていることが可能であることが想定されている。
【００１６】
本発明は、ユーザがコンテンツにおける何れの時点でコマーシャルのサムネイルを取り上げ、そのコンテンツ（ライブのコンテンツ又はＨＤＤに記録されているコンテンツのどちらか）に戻る前に、コマーシャルを視聴することができることを想定している。
【００１７】
記憶装置に含まれるＭＨＰ基準を拡大するように予測される特徴の集合は、ＭＨＰプラットホームにおいて本発明を実施するように用いられる。ＭＨＰ基準におけるそれらの拡大を改善するための下記の概念は、本発明により与えられたものであり、本発明により想定されている。放送会社は、コマーシャルの記録を支援するためのアプリケーションを送信する。このアプリケーションは、（ライブの試聴中に）ローカルな記憶装置にコマーシャル全ての記録を開始する。各々のコマーシャルは、サムネイル又は一部の他のエントリフォームがシステムに与えられるように、そのアプリケーションの信号を送る特徴を有することが可能であり、アプリケーション自体に対してコマーシャルを識別させることを想定している。ＭＨＰにおいては、それらの特徴は、コマーシャルのタイトルを示す及びサムネイル又はイベントデータを含むデータ（１０００バイトより小さいバイトを必要とする）を有するイベントを有することが可能であり、並びに、そのイベントデータは、サムネイル及びタイトルを有するオブジェクトカルーセルにおいてファイルを有することが可能である。そのアプリケーションは、それ故、放送会社により与えられるように、何れの時間にサムネイルを表示することができる。このことは、ユーザの要求に対する応答において又はイベントに対する応答において可能である。イベントを用いて、放送会社は、プログラムの終了時のプログラム承認期間中のような特定時間に、コマーシャルのサムネイルを表示することができる。プログラムが記録されている（ライブを視聴するのと比較して）場合、コマーシャルは記録されたものである必要はない。コマーシャルが、再生において、自動的にスキップされた場合でさえ、そのアプリケーションは欠落したコマーシャルを検出することができ、それ故、そのアプリケーションは何も与えないか又は、インターネットを介して代替のコマーシャルのバージョン（例えば、テキストのみを）をロードする。
【００１８】
図３は、ＭＨＰプラットホーム５０の一般化された実施形態を示している。最上層は、並列に実行される１つ又はそれ以上のアプリケーションを有する。ＥＰＧ４８は、この最上レベルで実行され、ユーザによりナビゲートされるコマーシャルについての対話を与える。そのシステムは、好適には、プレーヤ／レコーダの動作しているシステム４２において実行することに基づくＪＡＶＡ（登録商標）である仮想マシン（ＶＭ）を有する複数の層を有する。ＶＭ４４は、ＭＨＰアプリケーションプログラムインターフェース４６を介して、ＥＰＧ４８のようなＭＨＰアプリケーション５２と接続される。オペレーティングシステム４２は、システムがプレーヤ／レコーダのハードウェア５８にアクセスすることが可能であるドライバ５４と接続される。アプリケーションマネージャ４０はアプリケーションを開始及び終了し、そして典型的には、システムハードウェア５８のＨＤＤに記録５６において記録されたコマーシャルによりナビゲートするように、本発明により用いられるナビゲータを動作させる。
【００１９】
上記の詳細説明においては、本発明を実行するために本発明者により最も好適である実施形態について説明している。上記実施形態の変形が可能であることは当業者に容易に理解され、それ故、本発明については、同時提出の特許請求の範囲により規定されている。
【図面の簡単な説明】
【００２０】
【図１】プログラムコンテンツと共にコマーシャルを検出し記録するための、本発明のシステムを示す図である。
【図２】図１において記録された予め記録されたコマーシャルの再生を示すブロック図である。
【図３】本発明の実施例を示すブロック図である。
【図１】
2008505518.tif 000003
【図２】
2008505518.tif 000004
【図３】
2008505518.tif 000005
【国際調査報告】
2008505518.tif 000006
2008505518.tif 000007
2008505518.tif 000008